(57)【要約】【課題】製造工程に手間がかからず、製造コストが抑えられ、しかも収納がしやすいハンガーを提供する。【解決手段】本発明の紙製ハンガーは、吊り下げ具に係合するフック部１３が長手方向の中央部から幅方向の一方側に突出して設けられる本体基材１２と、本体基材１２の長手方向の一端部から幅方向の他方側に突出して設けられ、商品の一端側を保持する第１保持部１９と、本体基材１２の長手方向の他端部から幅方向の他方側に突出して設けられ、商品の他端側を保持する第２保持部２１と、本体基材１２の長手方向の中央部から幅方向の他方側に突出して設けられ、第１保持部１９および第２保持部２１に掛け渡される商品の中央部の内側に挿入される係合片２６とを有する。【選択図】図１
2008229268.tif 000002
【特許請求の範囲】
【請求項１】
商品を展示用の吊り下げ具に吊り下げて展示する紙製ハンガーであって、
前記吊り下げ具に係合するフック部が長手方向の中央部から幅方向の一方側に突出して設けられる本体基材と、
前記本体基材の長手方向の一端部から幅方向の他方側に突出して設けられ、前記商品の一端側を保持する第１保持部と、
前記本体基材の長手方向の他端部から幅方向の他方側に突出して設けられ、前記商品の他端側を保持する第２保持部と、
前記本体基材の長手方向の中央部から幅方向の他方側に突出して設けられ、前記第１および第２保持部に掛け渡される前記商品の中央部の内側に挿入される係合片とを有することを特徴とする紙製ハンガー。
【請求項２】
請求項１記載の紙製ハンガーにおいて、前記本体基材の長手方向の両端部にそれぞれ切断用の切り込みが形成されていることを特徴とする紙製ハンガー。
【発明の詳細な説明】
【技術分野】
【０００１】
本発明は、女性用下着等の商品を店頭に展示するときに用いられる商品展示用のハンガーに関するものである。
【背景技術】
【０００２】
スーパー、百貨店等の店頭において種々の下着を吊り下げて展示販売するための下着用のハンガーは、例えばプラスチック等の薄板で形成されているのが一般的である。このような下着用のハンガーは、図４に示すように、硬質プラスチック製の薄板で、左右に張り出す肩部１と、その中央から上方へ突出するフック２とを一体に形成したものが一般的である。肩部１の両端部下縁には、それぞれ複数本の傾斜した突起３が適宜間隔をおいて突出され、肩部１の両端寄り上部には、上方に開口する出し入れ口４と、出し入れ口４から先端方向へ延びる第１のスリット５及び中央方向へ延びる第２のスリット６とが形成されている。そして、両端部の突起３にショーツ、ガードル等の下半身用下着のウェスト口を係止し、第１のスリット５にスリップやブラジャーのストラップを引っ掛けて、吊り下げるようになっている。
【発明の開示】
【発明が解決しようとする課題】
【０００３】
図４に示すような従来のハンガーは硬質プラスチック製であることから、製造工程に手間がかかり、製造コストもかかるという問題点を有していた。また、ハンガー本体に厚みがあるため、ダンボール箱等に収納する際にはかさばるという問題点を有していた。
【０００４】
上記問題点を解決すべく、本発明の目的は、製造工程に手間がかからず、製造コストが抑えられ、しかも収納がしやすいハンガーを提供することにある。
【課題を解決するための手段】
【０００５】
本発明の紙製ハンガーは、商品を展示用の吊り下げ具に吊り下げて展示する紙製ハンガーであって、前記吊り下げ具に係合するフック部が長手方向の中央部から幅方向の一方側に突出して設けられる本体基材と、前記本体基材の長手方向の一端部から幅方向の他方側に突出して設けられ、前記商品の一端側を保持する第１保持部と、前記本体基材の長手方向の他端部から幅方向の他方側に突出して設けられ、前記商品の他端側を保持する第２保持部と、前記本体基材の長手方向の中央部から幅方向の他方側に突出して設けられ、前記第１および第２保持部に掛け渡される前記商品の中央部の内側に挿入される係合片とを有することを特徴とする。
【０００６】
本発明の紙製ハンガーは、前記本体基材の長手方向の両端部にそれぞれ切断用の切り込みが形成されていることを特徴とする。
【発明の効果】
【０００７】
本発明のハンガーは紙製であるため、製造が簡単であり製造コストが抑えられ、軽いために取り扱いがしやすく、ハンガーの収納がしやすい。また、第１および第２保持部に掛け渡される商品の中央部の内側に挿入される係合片を有しているため、装着された商品の弾力性によりハンガーが長手方向に撓むのを抑制することができる。
【０００８】
また、本発明のハンガーは、本体基材の長手方向の両端部にそれぞれ切断用の切り込みが形成されているため、２つの切り込みを結ぶ直線に沿ってハンガーを上部分と下部分とに切断することができ、切断した後の上部分のみを上半身用下着のハンガーとして使用することができる。
【発明を実施するための最良の形態】
【０００９】
以下、本発明の実施の形態を図面に基づいて詳細に説明する。図１は本発明の一実施形態であるハンガーの正面図であり、図２は図１の斜視図である。
【００１０】
図１及び図２に示すハンガー１１は矩形状の本体基材１２と本体基材１２の長手方向の中央部から幅方向の一方側に突出するフック部１３とを有している。フック部１３は上方に湾曲しており、商品展示用の吊り下げ具にフック部１３を引っ掛けることにより、ハンガー１１を吊り下げ具に吊り下げることができる。
【００１１】
本体基材１２におけるフック部１３が突出する地点から長手方向右側に延びる辺はゆるやかな凸状に湾曲している。一方、本体基材１２におけるフック部１３が突出する地点から長手方向左側に延びる辺はゆるやかな凹状に湾曲している。
【００１２】
本体基材１２の長手方向の両端部には、それぞれ係止部１４が形成されている。この係止部１４は、本体基材１２の長手方向に向けて突設し互いに対向する一対の係止片１５ａ，１５ｂと、係止片１５ａ，１５ｂの付け根部分を結び本体基材１２の長手方向と平行に延びる係止溝１６とにより構成されている。一対の係止片１５ａ，１５ｂのうち、本体基材１２の中心部側、すなわち内側に位置する係止片１５ａの先端は斜め下方向外側を向いて突設しており、本体基材１２の両端部側、すなわち外側に位置する係止片１５ｂの先端は本体基材１２の長手方向と平行な方向で内側に向けて突設している。係止片１５ａ，１５ｂはともに先端が丸みを帯びた形状となっており、装着する商品を傷つけないようになっている。また、外側に位置する係止片１５ｂの下辺には滑り止め用の半円状の突起が一つ形成されている。以上のように構成される係止部１４は主にブラジャーやスリップ等の上半身用下着のストラップを装着するために用いられ、係止部１４の係止片１５ａの先端と係止片１５ｂの先端同士の隙間はストラップが入る程度の広さに設定されている。図１及び図２に示すハンガー１１には上述の係止部１４を設けたが、係止部１４は必ずしも設ける必要はなく、本発明の他の実施例では係止部１４を省略することができる。
【００１３】
本体基材１２の長手方向両端部には挟持部１７がそれぞれ形成されている。挟持部１７は、本体基材１２の長手方向両端部から中心方向すなわち横方向内側に向けて切り込まれた切込状溝１８により構成されている。切込状溝１８は横方向内側に切り込まれてから一段下方に下がりさらに横方向内側に切り込まれており、段差を有する形状を有している。切込状溝１８の奥部は丸みを帯びた形状となっており、装着する商品を傷つけないようになっている。切込状溝１８の上辺には滑り止め用の半円状の突起が一つ形成されている。挟持部１７も主にブラジャーやスリップ等の上半身用下着のストラップを装着するために用いられ、切込状溝１８の入り口の幅はストラップが入る程度の広さに設定されている。図１及び図２に示すハンガー１１には挟持部１７を設けたが、挟持部１７は必ずしも設ける必要はなく、本発明の他の実施例では挟持部１７を省略することができる。
【００１４】
本体基材１２の長手方向の一端部からは、フック部１３が突出する向きと逆方向すなわち下方に向けて第１保持部１９が突設して形成されている。本体基材１２の長手方向の他端部からは、フック部１３が突出する向きと逆方向すなわち下方に向けて第２保持部２１が突設して形成されている。第１保持部１９および第２保持部２１はそれぞれ、下方外側に向けてそれぞれ突設する一対の突設片２２ａ，２２ｂと、一対の突設片２２ａ，２２ｂとの間に形成されたスリット２３により構成されている。一対の突設片２２ａ，２２ｂは互いに平行な向きで延びているが、本体基材１２の中心部側すなわち内側に位置する突設片２２ｂの方が、本体基材１２の長手方向端部側すなわち外側に位置する突設片２２ａよりも、長さが長く、幅も広い。突設片２２ａ，２２ｂの先端はともに丸みを帯びた形状となっており、装着する商品を傷つけないようになっている。スリット２３の奥部も丸みを帯びており、装着する商品を傷つけないようになっている。突設片２２ａ，２２ｂのスリット２３側の辺にはそれぞれ滑り止め用の半円状の突起が一つずつ形成されている。突設片２２ａに形成された突起と突設片２２ｂに形成された突起とは互いに対向しないように位置をずらしてある。以上のような第１保持部１９および第２保持部２１はショーツ、ブリーフ等の下半身用下着のウェスト部を装着するために用いられ、第１保持部１９および第２保持部２１の突設片２２ａの先端と突設片２２ｂの先端同士の隙間はウェスト部が入る程度の広さに設定されている。装着する下半身用下着のウェスト部の幅が、ハンガー１１の長手方向の長さと同じ長さ、もしくはやや狭い場合には、ウェスト部を第１保持部１９及び第２保持部２１に掛け渡すとウェスト部の弾力性により商品はずり落ちることがない。
【００１５】
本体基材１２における、第１保持部１９および第２保持部２１が設けられている位置よりも中心部よりには、左右それぞれ４本ずつの挟持用バー２４が互いに一定の間隔を隔てて下方内側に向けて突設している。４本の挟持用バー２４は左右それぞれにすべて同じ形状をしており、互いに平行な向きで延びている。挟持用バー２４の先端は丸みを帯びた形状となっており、装着する商品を傷つけないようになっている。また、左右４本ずつの挟持用バー２４はお互いの間隙にスリット２５を形成している。スリット２５の奥部も丸みを帯びており、装着する商品を傷つけないようになっている。挟持用バー２４のうち、本体基材１２の中心部側を向いた辺にはそれぞれ滑り止め用の半円状の突起が二つずつ形成されている。挟持用バー２４はショーツ等の下半身用下着のウェスト部を装着するために用いられ、隣り合う挟持用バー２４の先端同士の隙間はウェスト部が入る程度の広さに設定されている。商品のウェスト部の幅がハンガー１１の長さよりも広い場合は、第１保持部１９及び第２保持部２１に商品を掛け渡しただけでは商品をしっかりと保持することはできない。その場合は、第１保持部１９及び第２保持部２１に掛け渡した商品の両端部をそれぞれ４本ある挟持用バー２４のうちの１本にそれぞれ引っ掛ける。こうすることで、商品をしっかり保持することができるのである。つまり挟持用バー２４を設けたことにより様々なサイズの商品に適用できるのである。図１及び図２に示すハンガー１１には挟持用バー２４を設けたが、挟持用バー２４は必ずしも設ける必要はなく、本発明の他の実施例では挟持用バー２４を省略することができる。
【００１６】
本体基材１２の下縁における中央部には、本体基材１２の長手方向の長さの約三分の一の幅をもつ係合片２６が、フック部１３が突出する方向とは逆向きすなわち下方に向けて突設している。係合片２６は逆台形状に形成されており、その両側辺は挟持用バー２４が突設する方向と平行となっている。係合片２６の下辺の位置は挟持用バー２４の先端部の位置と同じ位置である。そして、係合片２６の両側辺と下辺とが交わる頂点は丸みを帯びた形状となっており、装着する商品を傷つけないようになっている。また、係合片２６の両側辺と最も内側に位置する挟持用バー２４はその間隙にスリットを形成しており、前記スリットの幅はスリット２５の幅と同程度となっている。商品を装着する際には、第１保持部１９および第２保持部２１に掛け渡される商品の中央部の内側に係合片２６を挿入する。すなわち、商品のウェスト部における手前側の布と奥行側の布とにより係合片２６を挟み込む形になる。第１保持部１９および第２保持部２１に掛け渡された商品は、その弾力性により商品の中央方向に引張力を生じ、ハンガー１１を長手方向に撓ませようとする。しかしながら商品の中央部の内側に係合片２６が挿入されているため、係合片２６はハンガー１１を長手方向に撓ませようとする力を抑えることができ、ハンガー１１は撓むことがない。
【００１７】
本発明のハンガー１１は、コットンパルプや精製パルプから作られた原料紙を任意の厚さに積層後、乾燥してできる緻密で強靭なシート素材であるバルカナイズドファイバー素材を用いて形成されている。製造する際には、上記バルカナイズドファイバー素材を厚紙によって挟み込んだ３層構造のシート材料を金型でハンガー形状に打ち抜く。その際には、２つの金型をハンガー１１のフック部１３同士が引っ掛かり合うように、すなわち点対称になるように配置して、打ち抜くことによって、１枚の長方形状のシート材料から２つのハンガー１１を製造することができ、歩留まりが向上する。また、シート材料に任意の色を付けることにより、表裏面に社名、商品名、商品の機能、取扱説明その他が表示された様々な色彩のハンガー１１を形成することができる。これによりハンガー１１にラベル、ヘッター等を別に取り付ける必要がないので、手間がかからずコストを安くすることができる。また、現在製造されているプラスチックハンガーにはアパレルメーカーの社名が入っていないため、大半のプラスチックハンガーはリサイクルのためにアパレルメーカーに戻されていないのが現状である。しかしながら本発明のハンガー１１には、表裏面にアパレルメーカーの社名を表示することができるため、リサイクルのためアパレルメーカーに戻すことができる。
【００１８】
本体基材１２の長手方向の両端部には、ハンガー１１を上部分と下部分とに切断するための切り込み２７が形成されている。ハンガー１１をスリップ等の上半身用下着のみの装着のために使用したいときには、左右の切り込み２７を結ぶ直線に沿ってハンガー１１を切断し、切断された上部分のみを使用することができる。したがって、１つの金型で２種類のハンガーを製造することができる。図１に示されているように、切り込み２７は一対の円弧により形成されているため、上下に切り離した後でも切断部分の面取りを行う必要がない。
【００１９】
図３は本発明の本発明の一実施形態である紙製ハンガーに商品を装着した状態の斜視図である。図３に示すように、商品２８のウェスト部分の両側部が第１保持部１９と第２保持部２１により掛け渡されている。図３には示されていないが、商品２８のウェスト部分の両側端部は、第１保持部１９および第２保持部２１からハンガー１１の裏側部分を通って、挟持用バー２４の一つに引っ掛けられている。そして、図３に示すようにハンガーの表側に掛け回されている商品の中央部分の内側に係合片２６が挿入されている。つまり係合片２６が位置する部分では、商品の手前側の布と奥行側の布とで係合片２６を挟み込んでいる。このため、ハンガー１１に装着された商品２８はずり落ちることはなく、しかもハンガー１１自体が商品２８の弾力性によって撓むこともない。
【００２０】
本発明は前記実施の形態に限定されるものではなく、その要旨を逸脱しない範囲で種々変更可能である。たとえば、本発明の紙製ハンガーは、ダンボール、板紙などの紙単体で形成してもよいし、紙の強度を高めるためにそれらを積層して一体化したものや、合成樹脂の板状であってもよい。挟持用バー２４の本数は左右４本ずつではなく、もっと多くしたり少なくしたりすることもできる。
【図面の簡単な説明】
【００２１】
【図１】本発明の一実施形態である紙製ハンガーの正面図である。
【図２】図１の斜視図である。
【図３】本発明の一実施形態である紙製ハンガーに商品を装着した状態の斜視図である。
【図４】従来のハンガーを示す正面図である。
【符号の説明】
【００２２】
１  肩部
２  フック
３  突起
４  出し入れ口
５  第１のスリット
６  第２のスリット
１１  ハンガー
１２  本体基材
１３  フック部
１４  係止部
１５ａ，１５ｂ  係止片
１６  係止溝
１７  挟持部
１８  切込状溝
１９  第１保持片
２１  第２保持片
２２ａ，２２ｂ  突設片
２３  スリット
２４  挟持用バー
２５  スリット
２６  係合片
２７  切り込み
２８  商品
【図１】
2008229268.tif 000003
【図２】
2008229268.tif 000004
【図３】
2008229268.tif 000005
【図４】
2008229268.tif 000006